(57)【要約】【課題】学習能力を有する動物に対して、継続的に撃退効果が発揮し得る動物撃退装置を得る。【解決手段】超音波パルスを発振する超音波パルス発振手段１０と、前記超音波パルスの周波数及び振幅を制御する制御手段２０を有し、前記制御手段２０は、超音波パルスを一定の周波数帯域（周波数帯域が５ｋ〜５０ｋＨｚ）において連続的に変化するように制御する周波数制御器２１と、前記超音波パルスの振幅を前記周波数帯域において山状（１６ｋＨｚをピークとした山状）に変化するよう制御する振幅制御器２２を具備して成ることで、周波数が一定の周波数帯域において連続的に変化するとともに振幅を変化させた超音波パルスが発振されるようにする。【選択図】    図１
2007135528.tif 000002
【特許請求の範囲】
【請求項１】
超音波パルスを発振する発振手段と、前記超音波パルスの周波数及び振幅を制御する制御手段を有し、
前記制御手段は、超音波パルスを一定の周波数帯域において連続的に変化するように制御する周波数制御器と、前記超音波パルスの振幅を前記周波数帯域において山状に変化するよう制御する振幅制御器を具備して成る動物撃退装置。
【請求項２】
前記超音波パルスは、周波数帯域が５ｋ〜５０ｋＨｚを含むものであり、各周波数における振幅が１６ｋＨｚをピークとした山状である請求項１に記載の動物撃退装置。
【発明の詳細な説明】
【技術分野】
【０００１】
本発明は、超音波を利用して動物に危機感を与えてこれを追い払う動物撃退装置に関する。
【背景技術】
【０００２】
森林の伐採、地球温暖化等の自然環境の変化により、山地に生息する動物が里山に食料を求めて下山し、田畑を荒らす現象が頻繁に起こっている。これに対しては、柵を設けることで動物の侵入を防いだり、電気や超音波等を発生させる器具で動物を撃退させる対策が講じられていた。
【０００３】
超音波を利用した動物撃退装置としては、特許文献１〜６に示す各種装置が提案されている。これらの装置は、単一の周波数の超音波を利用して動物を撃退するものであった。
【特許文献１】特開２００１−３２７２４０
【特許文献２】特開２００２−３３３６８７
【特許文献３】特開２００２−３４４３４
【特許文献４】特開２００２−１５３１９８
【特許文献５】特開２００２−１５９２５６
【特許文献６】特開２００２−１５９２５７
【発明の開示】
【発明が解決しようとする課題】
【０００４】
上述の各装置によれば、単一の周波数の超音波を利用するので、初めての動物に対しては脅かすことが可能であるが、繰り返すうちに学習能力により発振する超音波に馴れてしまい、撃退効果がなくなるという問題があった。
【０００５】
本発明は上記実情に鑑みてなされたもので、学習能力を有する動物に対して継続的に撃退効果が発揮し得る動物撃退装置を提供することを目的としている。
【課題を解決するための手段】
【０００６】
上記目的を達成するため本発明の動物撃退装置は、いのしし、鹿、猿、熊等の獣類や、カラス、雀等の鳥類が近づかないよう撃退する装置であり、超音波パルスを発振する発振手段と、前記超音波パルスの周波数及び振幅を制御する制御手段を有する。
そして、前記制御手段は、超音波パルスを一定の周波数帯域において連続的に変化するように制御する周波数制御器と、前記超音波パルスの振幅を前記周波数帯域において山状に変化するよう制御する振幅制御器を具備して成る。
【０００７】
請求項２は、請求項１において、前記超音波パルスは、周波数帯域が５ｋ〜５０ｋＨｚを含むものであり、各周波数における振幅が１６ｋＨｚをピークとした山状であることを特徴としている。
【発明の効果】
【０００８】
本発明によれば、複数の周波数の超音波を交互に発振させるとともに、超音波の振幅が周波数帯域において山状としたので、強弱が刻々と変化する超音波を発振することができ、動物に対して学習能力を発揮させることなく、撃退効果を持続させることができる。
【０００９】
また、発振する超音波の周波数帯域が５ｋ〜５０ｋＨｚを含むものであり、各周波数における振幅が１６ｋＨｚをピークとした山状とすることにより、撃退効果を効率良く行うことができる。
【発明を実施するための最良の形態】
【００１０】
本発明の実施の形態の一例について、図１及び図２を参照しながら説明する。
本発明による動物撃退装置１は、超音波パルスを発振する超音波パルス発振手段１０と、超音波パルスの周波数及び振幅を制御する制御手段２０と、検知手段（動物検知センサ）３０と、音声出力手段４０と、電源手段５０を有して構成されている。
【００１１】
超音波パルス発振手段１０は、超音波パルスを発振するものであるが、単一の周波数でなく、一定の周波数帯域内で連続的に変化する各周波数の超音波が出力されるように構成される。
【００１２】
制御手段２０は、超音波パルスの周波数及び振幅を制御するものであり、周波数制御器２１と振幅制御器２２を有している。周波数制御器２１は、超音波パルスを一定の周波数帯域（例えば、周波数帯域が１．３ｋ〜６３ｋＨｚ）において連続的に変化するように制御する。振幅制御器２２は、超音波パルスの振幅を前記した周波数帯域において、図２に示すように、前記した周波数帯域における各周波数の超音波の振幅が１６ｋＨｚをピークとして３０〜１００デシベルの範囲で山状に変化する超音波が繰り返し出力するよう制御される。
【００１３】
超音波の周波数及び振幅については、実験を行った結果、５ｋ〜５０ｋＨｚを含み、各周波数における振幅が１６ｋＨｚをピークとした山状であることが、小動物を撃退する効果が高く、且つ撃退効果が持続されることが確認できた。
【００１４】
検知手段（動物検知センサ）３０は、例えば物体を検知する赤外線センサ等で構成され、動物が一定範囲に近づいたことを検知して検知信号を出力するものである。
【００１５】
音声出力手段４０は、検知手段からの検知信号を受け、超音波パルス発振手段１０から出力される超音波を音声信号に変換して増幅する装置であり、音声出力手段４０に接続されたスピーカー４１から音圧レベル９８．５ｄＢ／Ｗ（１ｍ）で発振させることにより、近づいた動物に危機感を与えるものである。
【００１６】
電源手段５０は、各種手段に対して電源を供給して駆動を行うものであり、例えば直流電源であるバッテリー電源から構成されている。または、商用周波数電源からインバーターを介して電気が供給されるように構成してもよい。
【００１７】
上記構造によれば、電源手段５０の電源をＯＮすると、超音波パルス発振手段１０が制御手段２０に基づいて、周波数が一定の周波数帯域において連続的に変化するとともに振幅を変化させた超音波パルスが発振される。超音波パルスは、動物に対して刺激を与えるので、この状態において動物を撃退することができるが、それにも関わらず動物が近づいてきた場合には、検知手段３０からの信号が音声出力手段４０に出力され、超音波パルス発振手段１０から出力される超音波を音声信号に変換して増幅してスピーカー４１から音として出力する。
超音波パルス発振手段１０では、出力する超音波の周波数を変化させるとともに、振幅が周波数帯域において山状としたので、周波数及び強弱が刻々と変化する超音波を発振することができ、動物に対して学習能力を発揮させることなく、撃退効果を持続させることができる。
【００１８】
また、超音波パルス発振手段１０の動作は省エネルギーの観点から、一定期間毎に作動するようなタイマーを設置しても良い。また、検知手段３０で動物が近づいたことを検知した場合にのみ、超音波パルス発振手段１０が作動するような構成であってもよい。
【図面の簡単な説明】
【００１９】
【図１】本発明の実施の形態の一例の動物撃退装置のブロック図である。
【図２】本発明の動物撃退装置で発振される超音波の発振周波数特性図である。
【符号の説明】
【００２０】
１    動物撃退装置
１０  超音波パルス発振手段
２０  制御手段
２１  周波数制御器
２２  振幅制御器
３０  検知手段
４０  音声出力手段
５０  電源手段
【図１】
2007135528.tif 000003
【図２】
2007135528.tif 000004